(57)【要約】【課題】遊技盤の内外を移動する役物がフレキシブルフラットケーブルを介して電気的に接続されている遊技機の配線構造において、役物を移動させたときに生じるフレキシブルフラットケーブルの弛みや曲げのスペースを確保しなくてもよいこと。【解決手段】遊技機１の配線構造において、遊技盤４ａの内外を移動する役物２４がフレキシブルフラットケーブル７０を介して制御装置に対して電気的に接続されている。役物２４の移動にともなってフレキシブルフラットケーブル７０に生じる弛みは、巻取装置３０によって巻き取られている。【選択図】図５
2017113416.tif 000002
【特許請求の範囲】
【請求項１】
遊技盤の内外を移動する役物がフレキシブルフラットケーブルを介して制御装置に対して電気的に接続されている遊技機の配線構造であって、
役物の移動にともなってフレキシブルフラットケーブルに生じる弛みは、巻取装置によって巻き取られている遊技機の配線構造。
【請求項２】
請求項１に記載の遊技機の配線構造であって、
巻取装置は、
フレキシブルフラットケーブルと、
フレキシブルフラットケーブルを外周面に巻き付け可能な巻付軸を有するケースと、
ケースの内部に回転可能に組み付けられ、開口を介してフレキシブルフラットケーブルを外周面に巻き付け可能なボビンと、
フレキシブルフラットケーブルを巻き取る方向にボビンを付勢するゼンマイと、から構成されており、
回転にともなうケースとボビンとの互いの摺動部の少なくとも一方には、リブが形成されている遊技機の配線構造。
【発明の詳細な説明】
【技術分野】
【０００１】
本発明は、遊技機の配線構造に関し、詳しくは、遊技盤の内外を移動する役物がフレキシブルフラットケーブルを介して制御装置に対して電気的に接続されている遊技機の配線構造に関する。
【背景技術】
【０００２】
従来、パチンコ機等の遊技機の遊技盤には、遊技の演出効果を高めるための役物が組み付けられている。このような役物には、遊技盤に対して移動機構を介して移動可能に組み付けられているものがある。そのため、遊技盤に設けられている液晶パネルの演出に連動して役物を移動させることができる。したがって、遊技の演出効果をより高めることができる。なお、この移動機構の駆動源には、例えば、フレキシブルフラットケーブルを介して給電されている（特許文献１参照）。これにより、役物に対して給電するだけでなく制御装置に対して電気信号も送受信できる。したがって、役物の一部を可動させるだけでなく役物を光らせたりできる。したがって、遊技の演出効果をさらに高めることができる。
【先行技術文献】
【特許文献】
【０００３】
【特許文献１】特開２０１４−１４７８３９号公報
【発明の概要】
【発明が解決しようとする課題】
【０００４】
しかしながら、上述した特許文献１の技術では、役物を移動させると、フレキシブルフラットケーブルに弛みや曲げが生じるため、例えば、遊技盤の盤面（表面）において、これら弛みや曲げのスペースを確保する必要があった。
【０００５】
本発明は、このような課題を解決しようとするもので、その目的は、遊技盤の内外を移動する役物がフレキシブルフラットケーブルを介して電気的に接続されている遊技機の配線構造において、役物を移動させたときに生じるフレキシブルフラットケーブルの弛みや曲げのスペースを確保しなくてもよいことである。
【課題を解決するための手段】
【０００６】
本発明は、上記の目的を達成するためのものであって、以下のように構成されている。
請求項１に記載の発明は、遊技盤の内外を移動する役物がフレキシブルフラットケーブルを介して制御装置に対して電気的に接続されている遊技機の配線構造である。役物の移動にともなってフレキシブルフラットケーブルに生じる弛みは、巻取装置によって巻き取られている。
【０００７】
請求項１の発明によれば、生じた弛み分のフレキシブルフラットケーブルを巻取装置が巻き取ることとなる。したがって、役物の移動させたときに生じるフレキシブルフラットケーブルの弛みや曲げのスペースを確保しなくてもよい。
【０００８】
また、請求項２に記載の発明は、請求項１に記載の遊技機の配線構造であって、巻取装置は、フレキシブルフラットケーブルと、フレキシブルフラットケーブルを外周面に巻き付け可能な巻付軸を有するケースと、ケースの内部に回転可能に組み付けられ、開口を介してフレキシブルフラットケーブルを外周面に巻き付け可能なボビンと、フレキシブルフラットケーブルを巻き取る方向にボビンを付勢するゼンマイと、から構成されている。そして、回転にともなうケースとボビンとの互いの摺動部の少なくとも一方には、リブが形成されている。
【０００９】
請求項２の発明によれば、ケースに対してボビンが回転するとき、これらを線接触させることができる。したがって、ボビンを滑らかに回転させることができる。
【図面の簡単な説明】
【００１０】
【図１】実施例に係るパチンコ機の正面図である。
【図２】図１の斜視図である。
【図３】図１の分解図である。
【図４】図３の演出装置の拡大図である。
【図５】図４の役物ユニットと巻取装置との拡大図である。
【図６】図５の正面図である。
【図７】図５の分解図である。
【図８】図７の巻取装置の拡大図である。
【図９】図８の分解図である。
【図１０】図９のボビンの分解図である。
【図１１】図９を逆側から見た分解図である。
【図１２】図１０を逆側から見た分解図である。
【図１３】図９のケースの縦断面図である。
【図１４】図５において、役物を移動させた状態を示す図である。
【図１５】図１４の正面図である。
【発明を実施するための形態】
【００１１】
以下、本発明を実施するための形態を、図１〜１５を用いて説明する。まず、図１〜３を参照して、本発明の実施例に係る遊技機１の全体構成を説明する。なお、遊技機１の例としてパチンコ機１を説明することとする。
【００１２】
パチンコ機１は、主として、パチンコホールにおける遊技島のベース（いずれも図示しない）に組み付けられる外枠２と、この外枠２に対して開閉可能にヒンジ結合される内枠３と、この内枠３に対して組み付けられる遊技盤ユニット４と、この内枠３に対して開閉可能にヒンジ結合されるガラス枠５とから構成されている。
【００１３】
この遊技盤ユニット４は、遊技盤４ａと、この遊技盤４ａの裏面に組み付けられる演出装置４ｂとから構成されている。ここで、この演出装置４ｂについて詳述すると、この演出装置４ｂは、ケース１０と、このケース１０の凹面１２に組み付けられた役物ユニット２０と、この役物ユニット２０のベース２２に組み付けられる巻取装置３０とから構成されている（図４〜７参照）。以下に、これらケース１０と役物ユニット２０と巻取装置３０とを個別に説明していく。
【００１４】
はじめに、ケース１０から説明する。このケース１０の凹面１２には、その板厚を貫通するように矩形の開口１４が形成されている。また、この凹面１２の裏面側には、開口１４を塞ぐように液晶モニタ１６が組み付けられている。この液晶モニタ１６により、例えば、大当たりの抽選結果の図柄を表示できる。ケース１０は、このように構成されている。
【００１５】
次に、役物ユニット２０を説明する。この役物ユニット２０は、ケース１０の開口１４を左右に橋渡すように組み付けられたベース２２と、このベース２２の長手方向に沿って移動機構（例えば、図示しない、ラックとピニオンギヤ）を介して移動可能に組み付けられた役物２４とから構成されている。この役物２４は、第１の役物材２４ａ、第２の役物材２４ｂ、第３の役物材２４ｃとから構成されている。
【００１６】
この第１の役物材２４ａの表面には、ランプ（図示しない）が設けられている。また、この第１の役物材２４ａの内側には、後述するモータ２４ｄやランプに対して電気的に接続されたコネクタ（図示しない）が設けられている。また、この第２の役物材２４ｂには、移動機構を駆動させるためのモータ２４ｄが組み付けられている（図７参照）。役物ユニット２０は、このように構成されている。
【００１７】
最後に、巻取装置３０を説明する（図８参照）。この巻取装置３０は、ケース４０と、ボビン５０と、ゼンマイ６０と、フレキシブルフラットケーブル７０と、カバー８０とから構成されている（図９〜１２参照）。以下に、これらケース４０と、ボビン５０と、ゼンマイ６０と、フレキシブルフラットケーブル７０と、カバー８０とを個別に説明していく。
【００１８】
はじめに、ケース４０を説明する。このケース４０は、一方側に開口４２が形成され、他方側に凹壁４４が形成された円状のベース部材から構成されている。この凹壁４４の内面の中心（円の中心）には、後述するボビン５０を回転可能に組み付け可能な巻取軸４４ａが形成されている。この巻取軸４４ａの軸心には、後述するフレキシブルフラットケーブル７０の一端７２側を挿し込んで貫通可能なスリット４４ｂが形成されている。
【００１９】
このケース４０の外周面４６には、後述するフレキシブルフラットケーブル７０の他端７４側を挿し込んで貫通可能な開口４６ａが形成されている。この開口４６ａにおいて巻き取られるフレキシブルフラットケーブル７０が接する縁における内側は、図１３に示すように、Ｒ状を成している（Ｒ部４６ｂが形成されている）。これにより、巻き取られるフレキシブルフラットケーブル７０が外周面４６の開口４６ａの縁によって傷つくことを防止できる。
【００２０】
また、この開口４６ａにおいて巻き取られるフレキシブルフラットケーブル７０が接する縁における外側は、テーパ状に形成されている（テーパ部４６ｃが形成されている）。これにより、巻き取られるフレキシブルフラットケーブル７０が外周面４６の開口４６ａの縁によって傷つくことをより防止できる。また、この外周面４６には、役物ユニット２０のベース２２に組み付け可能な取付部４８が形成されている。なお、このケース４０は、その巻取軸４４ａと共に、剛性を有する合成樹脂によって一体的に形成されている。ケース４０は、このように構成されている。
【００２１】
次に、ボビン５０を説明する（図１０、１２参照）。このボビン５０は、その円筒状の外周面５２に後述するフレキシブルフラットケーブル７０を巻き取るための巻取部材から構成されている。この外周面５２における一方側の縁はフランジ５４となっており、同他方側の縁はフランジ状に張り出した壁面５６となっている。この外周面５２には、後述するフレキシブルフラットケーブル７０の他端７４側を挿し込んで貫通可能な開口５２ａが形成されている。
【００２２】
このフランジ５４のフランジ面５４ａには、その周方向に沿ってリブ５４ｂが形成されている。このフランジ面５４ａが、特許請求の範囲に記載の「回転にともなうケースとボビンとの互いの摺動部の少なくとも一方」に相当する。この壁面５６の中心（円の中心）には、上述したケース４０の巻取軸４４ａに対してボビン５０を回転可能に組み付け可能な組付孔５６ａが形成されている。この壁面５６の外側には、後述するゼンマイ６０を組み付け可能に組付孔５６ａに対して同心を成すガイド５６ｂが形成されている。
【００２３】
このガイド５６ｂには、２箇所の切欠（第１の切欠５６ｃ、第２の切欠５６ｄ）が形成されている。ボビン５０は、このように構成されている。このように構成されたボビン５０は、その組付孔５６ａにケース４０の巻取軸４４ａが組み付けられている。これにより、ケース４０に対してボビン５０が回転可能に組み付けられている。
【００２４】
次に、ゼンマイ６０を説明する。このゼンマイ６０は、公知のものであり、いわゆる、渦巻きばねである。このゼンマイ６０は、上述したボビン５０のガイド５６ｂに組み付けられている。このとき、その外側の端部である固定端６２は、ガイド５６ｂの第１の切欠５６ｃを介して第２の切欠５６ｄに掛け留めされている。一方、その内側の端部である自由端６４は、ケース４０の巻取軸４４ａのスリット４４ｂに掛け留めされている。
【００２５】
これにより、常時、ボビン５０に巻き付けたフレキシブルフラットケーブル７０を巻き取る方向にケース４０に対してボビン５０を回転（ばね力を作用）させることができる。すなわち、常時、ゼンマイ６０によってボビン５０にフレキシブルフラットケーブル７０が巻き取られている。
【００２６】
次に、フレキシブルフラットケーブル７０を説明する。このフレキシブルフラットケーブル７０は、公知のものであり、並列に複数の導体が配置された薄型の多芯ケーブルのことである。その一端７２側は、ボビン５０の外周面５２の内側（ボビン５０の内部）に巻き回され、同他端７４側は、ボビン５０の開口５２ａを介して外周面５２に巻き付けられている。
【００２７】
この巻き回された一端７２側は、ケース４０の巻取軸４４ａのスリット４４ｂを介してケース４０の外部である制御装置（図示しない）に配索されている。一方、この巻き付けられた他端７４側は、ケース４０の外周面４６の開口４６ａを介してケース４０の外部である第１の役物材２４ａのコネクタに電気的に接続されている。これにより、制御装置に内蔵のプログラムに基づいて、上述した役物２４のモータ２４ｄを駆動させたり、ランプを点灯させたりできる。
【００２８】
最後に、カバー８０を説明する。このカバー８０は、ケース４０の開口４２を塞ぎ可能に形成された蓋部材から構成されている。このカバー８０は、ケース４０に対して２本のビス８２で留められている。カバー８０は、このように構成されている。
【００２９】
これらケース４０と、ボビン５０と、ゼンマイ６０と、フレキシブルフラットケーブル７０と、カバー８０とから巻取装置３０は構成されている。このように構成されている巻取装置３０は、そのケース４０の取付部４８が２本のビス４８ａを介して役物ユニット２０のベース２２の端部に組み付けられている。そして、例えば、図５〜６に示す状態から図１４〜１５に示す状態のように、役物２４を移動させると、この移動にともなって、フレキシブルフラットケーブル７０に弛みが生じることとなる。
【００３０】
しかし、既に説明したように、常時、ゼンマイ６０によってボビン５０にフレキシブルフラットケーブル７０が巻き取られている。そのため、図１４〜１５から明らかなように、この生じた弛み分のフレキシブルフラットケーブル７０をボビン５０が巻き取ることとなる。したがって、役物２４を移動させたときに生じるフレキシブルフラットケーブル７０の弛みや曲げのスペースを確保しなくてもよい。
【００３１】
本発明の実施例に係るパチンコ機１の配線は、上述したように構成されている。この構成によれば、役物２４の移動にともなってフレキシブルフラットケーブル７０に生じる弛みは、巻取装置３０によって巻き取られている。そのため、上述したように、役物２４を移動させたときに生じるフレキシブルフラットケーブル７０の弛みや曲げのスペースを確保しなくてもよい。
【００３２】
また、この構成によれば、ボビン５０のフランジ５４のフランジ面５４ａには、その周方向に沿ってリブ５４ｂが形成されている。そのため、ケース４０に対してボビン５０が回転するとき、このケース４０の凹壁４４の内面側とボビン５０のフランジ５４のフランジ面５４ａとを線接触させることができる。したがって、ボビン５０を滑らかに回転させることができる。
【００３３】
実施例では、「回転にともなうケースとボビンとの互いの摺動部の少なくとも一方」の例として、「ボビン５０のフランジ面５４ａに形成したリブ５４ｂ」を説明した。しかし、これに限定されるものでなく、ケース４０の凹壁４４の内面側に、その周方向に沿ってリブが形成されていても構わない。もちろん、これらの両方であっても構わない。
【００３４】
また、実施例では、「遊技盤の内外を移動する役物」の例として、「演出装置４ｂのケース１０に移動可能に組み付けられた役物ユニット２０の役物２４」を説明した。しかし、これに限定されるものでなく、パチンコ機１の内枠３、遊技盤４ａ、ガラス枠５に移動可能に組み付けられる役物であれば、どのようなものであっても構わない。
【００３５】
また、実施例では、開口４６ａにおいて巻き取られるフレキシブルフラットケーブル７０が接する縁における内側には、Ｒ部４６ｂが形成されており、同外側には、テーパ部４６ｃが形成されている形態を説明した。しかし、これに限定されるものでなく、これらＲ部４６ｂとテーパ部４６ｃとの配置が逆でも構わない。もちろん、この配置がＲ部４６ｂ同士であっても構わないし、テーパ部４６ｃ同士であっても構わない。
【符号の説明】
【００３６】
１      パチンコ機（遊技機）
４ａ    遊技盤
２４    役物
３０    巻取装置
４０    ケース
５０    ボビン
５２    外周面
５４ｂ  リブ
６０    ゼンマイ
７０    フレキシブルフラットケーブル
【図１】
2017113416.tif 000003
【図２】
2017113416.tif 000004
【図３】
2017113416.tif 000005
【図４】
2017113416.tif 000006
【図５】
2017113416.tif 000007
【図６】
2017113416.tif 000008
【図７】
2017113416.tif 000009
【図８】
2017113416.tif 000010
【図９】
2017113416.tif 000011
【図１０】
2017113416.tif 000012
【図１１】
2017113416.tif 000013
【図１２】
2017113416.tif 000014
【図１３】
2017113416.tif 000015
【図１４】
2017113416.tif 000016
【図１５】
2017113416.tif 000017